【手続補正書】
【提出日】平成22年4月19日(2010.4.19)
【手続補正１】
【補正対象書類名】明細書
【補正対象項目名】０００３
【補正方法】変更
【補正の内容】
【０００３】
この変動表示は、所定の図柄作動口への入賞を条件に行われるものである。また、一般に変動表示中に図柄作動口への入賞（始動入賞）があった場合には、予め定めた所定数（例えば４回）を上限に変動表示が待機（保留）され、変動表示の終了後には、その待機回数（保留球数）分だけ引き続いて変動表示が行われる。変動表示の待機回数は、一般に遊技者から視認可能な位置に設けられた回数表示部により常に表示されており、その回数表示部の態様は、変動表示の待機回数の増減に一義的に対応して更新される。遊技者は、その表示を視認していつでも変動表示の待機回数を確認できるようになっている。
【手続補正２】
【補正対象書類名】明細書
【補正対象項目名】０００５
【補正方法】変更
【補正の内容】
【０００５】
しかしながら、かかる遊技機では、その変動表示の実行に意外性を付与することが難しいという問題点があった。
【手続補正３】
【補正対象書類名】明細書
【補正対象項目名】０００７
【補正方法】変更
【補正の内容】
【０００７】
この目的を達成するために請求項１記載の遊技機は、遊技盤と、その遊技盤に設けられ識別情報を表示する表示手段と、所定の始動条件の成立を検出する検出手段と、その検出手段によって前記始動条件の成立が検出された場合に抽選を行う抽選手段と前記表示手段に前記識別情報の動的表示を行わせると共に前記抽選手段による抽選結果に対応した前記動的表示の表示結果を現出させる動的表示実行手段とを備える制御手段と、前記抽選手段により所定の抽選結果を導出した場合に第１状態から遊技者にとって有利な第２状態に切り替えられる変動入賞手段とを備え、前記制御手段は前記所定の抽選結果が導出されると、前記動的表示に予め定めた表示結果を現出させ、前記変動入賞手段によって遊技者に所定の遊技価値を付与するものであり、前記制御手段は、前記表示手段による動的表示の待機回数に対応した回数情報を記憶する待機回数記憶手段と、前記動的表示の待機回数が変更される場合に、前記待機回数記憶手段に記憶された回数情報を前記変更される前記動的表示の待機回数に対応した回数情報に更新する待機回数更新手段と、前記動的表示の態様として少なくとも第１の態様と第２の態様を含む複数の動的表示態様を記憶する表示態様記憶手段と、前記抽選手段の抽選結果に基づいて前記表示態様記憶手段に記憶された複数の動的表示から、表示を実行する動的表示態様を設定する表示態様設定手段と、を備え、前記表示手段は、前記動的表示を実行する動的表示部と、前記待機回数を各回数毎に設定された複数種類の態様で表示すると共に視認状態が切替えられる回数表示部とを備え、前記制御手段は、前記第１の態様で前記動的表示を実行する場合に前記回数表示部の前記待機回数を視認可能な状態にすると共に前記第２の態様で前記動的表示を実行中に前記回数表示部を切替制御して前記待機回数を視認不能な状態に切替える切替手段と、前記第２の態様中に前記動的表示部で実行される前記識別情報の動的表示方法を、前記第１の態様時に前記動的表示部で実行される前記識別情報の動的表示方法と異なるように変更する変更手段と、を備える。
請求項２記載の遊技機は、請求項１記載の遊技機において、前記識別情報の動的表示の前記第１の態様と、前記識別情報の動的表示の前記第２の態様とで異なる前記識別情報の動的表示方法は、前記識別情報の動的表示方向である。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明の遊技機によれば、一時的に遊技者が動的表示の待機回数を視認困難な特別状態を発生させることができる。動的表示の待機回数は、一般には常時表示され続けるものであるので、この動的表示の待機回数が視認困難な状態は、動的表示の実行に意外性を付与することができるという効果がある。
【手続補正７】
【補正対象書類名】明細書
【補正対象項目名】０１６５
【補正方法】変更
【補正の内容】
【０１６５】
請求項１記載の遊技機における動的表示実行手段としては、上記実施例における表示用制御基板Ｄが該当し、変動入賞手段としては、特定入賞口５（大入賞口）を閉鎖させた状態から、遊技者にとって有利な開放させた状態に切り替わる変動入賞装置が該当する。
【手続補正８】
【補正対象書類名】明細書
【補正対象項目名】０２１９
【補正方法】変更
【補正の内容】
【０２１９】
１            遊技盤
３            ＬＣＤ（動的表示部）
５            特定入賞口（変動入賞手段の一部）
８            保留表示装置（回数表示部）
８ａ〜８ｄ    回数表示部（回数表示部の一部）
１０          中央表示装置（表示手段）
２７          始動口スイッチ（検出手段の一部）
３３          表示用制御基板のＲＡＭ
３３ａ        保留球カウンタ（待機回数記憶手段）
Ｃ            主制御基板（制御手段の一部、抽選手段）
Ｄ            表示用制御基板（制御手段の一部、動的表示実行手段、切替手段、変更手段）
Ｌ            音声ランプ制御基板
Ｐ            パチンコ機（遊技機）
【手続補正９】
【補正対象書類名】特許請求の範囲
【補正対象項目名】全文
【補正方法】変更
【補正の内容】
【特許請求の範囲】
【請求項１】
遊技盤と、その遊技盤に設けられ識別情報を表示する表示手段と、所定の始動条件の成立を検出する検出手段と、その検出手段によって前記始動条件の成立が検出された場合に抽選を行う抽選手段と前記表示手段に前記識別情報の動的表示を行わせると共に前記抽選手段による抽選結果に対応した前記動的表示の表示結果を現出させる動的表示実行手段とを備える制御手段と、前記抽選手段により所定の抽選結果を導出した場合に第１状態から遊技者にとって有利な第２状態に切り替えられる変動入賞手段とを備え、前記制御手段は前記所定の抽選結果が導出されると、前記動的表示に予め定めた表示結果を現出させ、前記変動入賞手段によって遊技者に所定の遊技価値を付与する遊技機において、
前記制御手段は、
前記表示手段による動的表示の待機回数に対応した回数情報を記憶する待機回数記憶手段と、
前記動的表示の待機回数が変更される場合に、前記待機回数記憶手段に記憶された回数情報を前記変更される前記動的表示の待機回数に対応した回数情報に更新する待機回数更新手段と、
前記動的表示の態様として少なくとも第１の態様と第２の態様を含む複数の動的表示態様を記憶する表示態様記憶手段と、
前記抽選手段の抽選結果に基づいて前記表示態様記憶手段に記憶された複数の動的表示から、表示を実行する動的表示態様を設定する表示態様設定手段と、を備え、
前記表示手段は、
前記動的表示を実行する動的表示部と、
前記待機回数を各回数毎に設定された複数種類の態様で表示すると共に視認状態が切替えられる回数表示部とを備え、
前記制御手段は、
前記第１の態様で前記動的表示を実行する場合に前記回数表示部の前記待機回数を視認可能な状態にすると共に前記第２の態様で前記動的表示を実行中に前記回数表示部を切替制御して前記待機回数を視認不能な状態に切替える切替手段と、
前記第２の態様中に前記動的表示部で実行される前記識別情報の動的表示方法を、前記第１の態様時に前記動的表示部で実行される前記識別情報の動的表示方法と異なるように変更する変更手段と、を備えたことを特徴とする遊技機。
【請求項２】
前記識別情報の動的表示の前記第１の態様と、前記識別情報の動的表示の前記第２の態様とで異なる前記識別情報の動的表示方法は、前記識別情報の動的表示方向であることを特徴とする請求項１記載の遊技機。